(57)【要約】【課題】内部における冷却剤の漏れを検出可能な放熱システムを提供する。【解決手段】電子装置（１００）を冷却するよう適応される放熱システム（２）は、電子装置からの熱を吸収するよう電子装置に接続されるよう適応されるヒートシンク（２４）と、駆動機構（２５）と、冷却機構（２６）と、内部に冷却剤（２２）を受容するよう適応され、また、冷却剤を介してヒートシンクからの熱を冷却機構に伝達するようヒートシンク及び冷却機構を通る冷却剤循環管（２３）における冷却剤の循環を駆動機構が駆動するよう冷却機構、ヒートシンク、及び駆動機構に接続される該冷却剤循環管（２３）と、冷却剤循環管内の圧力を測定するよう冷却剤循環管に接続される感圧ユニット（２７１）と、感圧ユニットに結合され、感圧ユニットによって測定された圧力が所定値より下である場合に感圧ユニットによって作動されるアラーム（２７２）を含む感圧機構（２７）とを含む。【選択図】図２
0003122898.tif 000002
【実用新案登録請求の範囲】
【請求項１】
電子装置（１００）を冷却するよう適応される放熱システム（２）であって、
前記電子装置からの熱を吸収するよう前記電子装置に接続されるよう適応されるヒートシンク（２４）と、
駆動機構（２５）と、
冷却機構（２６）と、
内部に冷却剤（２２）を受容するよう適応され、また、前記冷却剤を介して前記ヒートシンクからの熱を前記冷却機構に伝達するよう前記ヒートシンク及び前記冷却機構を通る冷却剤循環管（２３）における前記冷却剤の循環を前記駆動機構が駆動するよう前記冷却機構、前記ヒートシンク、及び前記駆動機構に接続される該冷却剤循環管（２３）と、
前記冷却剤循環管内の圧力を測定するよう前記冷却剤循環管に接続される感圧ユニット（２７１）と、前記感圧ユニットに結合され、前記感圧ユニットによって測定された圧力が所定値より下である場合に前記感圧ユニットによって作動されるアラーム（２７２）を含む感圧機構（２７）とを含む放熱システム。
【請求項２】
前記感圧ユニットは、前記冷却剤循環管内の圧力に応じて可動である膜（２７１１）と、第１の伝導部材（２７１２）と、前記アラームに結合される一対の第２の伝導部材（２７１３）と、前記膜と前記第１の伝導部材を接続する接続部材（２７１４）とを含み、
前記第１の伝導部材は、前記冷却剤循環管内の圧力が前記所定値より下であるときに前記アラームを作動させるよう前記第２の伝導部材と接触するよう前記膜と共に可動である請求項１記載の放熱システム。
【請求項３】
前記ヒートシンクは、容器（２４０）と、前記容器内に配置された複数のフィン（２４１）とを含む請求項１記載の放熱システム。
【請求項４】
前記冷却機構は、ファン（２６２）と、前記冷却剤循環管に接続される複数のフィン（２６１）とを含む請求項１記載の放熱システム。
【請求項５】
前記駆動機構は、ポンプを含む請求項１記載の放熱システム。
【請求項６】
前記冷却剤を保存するために前記冷却剤循環管に接続される貯蔵部（２１）を更に含み、
前記駆動機構は、前記貯蔵部から前記冷却循環管内に前記冷却剤を引き込む請求項１記載の放熱システム。
【請求項７】
前記感圧機構は、前記貯蔵部の上流及び前記冷却機構の下流の位置に配置される請求項６記載の放熱システム。
【考案の詳細な説明】
【技術分野】
【０００１】
本考案は、放熱装置に関わり、特に、冷却剤循環管における冷却剤の漏れを検出する感圧機構を有する放熱装置に係る。
【背景技術】
【０００２】
コンピュータの分野における技術が発展するに従って、コンピュータの性能はより一層強力となってきている。従って、コンピュータの中央処理演算ユニット（ＣＰＵ）といった電子装置によって相当量の熱が発生され、それにより、高温をもたらしている。高温は、コンピュータの適切ではないシャットダウンや、コンピュータ内に格納されたデータにダメージを与えうる。従って、コンピュータ製造業者にとって放熱は大きな関心事である。
【０００３】
図１は、従来の放熱装置１を示し、この装置は、ヒートシンク１１、冷却剤１２、駆動機構１３、冷却機構１４、及びその中を冷却剤１２が流れることを可能にし、ヒートシンク１１及び駆動機構１３に接続される管１１２を含む。
【０００４】
ヒートシンク１１は、電子装置１００に熱交換可能に接続される本体１１１を含み、本体１１１の内部空間を画成する。冷却剤１２は、ヒートシンク１１の内部空間内に受容され、電子装置１００からの熱を運ぶようヒートシンク１１の内部空間の中を流れる。
【０００５】
駆動機構１３は、放熱装置１内に冷却剤１２を循環させるよう使用される。
【０００６】
冷却機構１４は、互いに間隔が置かれ、管１１２の蛇行部１４１に接続される複数の放熱フィン１４２を含む。
【０００７】
動作時には、電子装置１００から発生される熱は、ヒートシンク１１の本体１１１に伝達され、冷却機構１４において放熱されるよう冷却機構１４に冷却剤１２によって運ばれる。冷却機構１４の放熱フィン１４２は、放熱を容易にするよう管１１２の蛇行部１４１に接触する。冷却剤１２の循環によって電子装置１００によって生成される熱は放熱される。
【０００８】
しかし、従来の放熱装置１は一体に形成されないので、冷却剤は、作業時間が増加するに従って放熱装置１内で漏れる可能性が高くなり、従って、放熱装置１内の圧力の低下及び放熱効率における低下をもたらす。従って、当該技術において、冷却剤１２の漏れを検出可能な放熱システムを提供する必要がある。
【考案の開示】
【考案が解決しようとする課題】
【０００９】
従って、本考案は、内部における冷却剤の漏れを検出可能な放熱システムを提供することを目的とする。
【課題を解決するための手段】
【００１０】
本考案では、電子装置を冷却するよう適応される放熱システムは、電子装置からの熱を吸収するよう電子装置に接続されるよう適応されるヒートシンクと、駆動機構と、冷却機構と、内部に冷却剤を受容するよう適応され、また、冷却剤を介してヒートシンクからの熱を冷却機構に伝達するようヒートシンク及び冷却機構を通る冷却剤循環管における冷却剤の循環を駆動機構が駆動するよう冷却機構、ヒートシンク、及び駆動機構に接続される該冷却剤循環管と、冷却剤循環管内の圧力を測定するよう冷却剤循環管に接続される感圧ユニットと、感圧ユニットに結合され、感圧ユニットによって測定された圧力が所定値より下である場合に感圧ユニットによって作動されるアラームを含む感圧機構を含む。
【考案を実施するための最良の形態】
【００１１】
本考案の他の特徴及び利点は、添付図面を参照しながら、本考案の好適な実施例の以下の詳細な説明において明らかとなろう。
【００１２】
図２を参照するに、本考案の放熱システム２の好適な実施例を示す。このシステムは、電子装置１００からの熱を吸収するために電子装置１００に接続されるよう適応されるヒートシンク２４と、駆動機構２５と、冷却機構２６と、内部に冷却剤２２を受容するよう適応され、且つ、冷却剤２２を介してヒートシンク２４からの熱を冷却機構２６に伝達するようヒートシンク２４及び冷却機構２６を通る冷却剤循環管２３における冷却剤２２の循環を駆動機構２５が駆動するよう冷却機構２６、ヒートシンク２４、及び駆動機構２５に接続される冷却剤循環管２３と、感圧機構２７を含む。感圧機構２７は、冷却剤循環管２３内の圧力を測定するよう冷却剤循環管２３に接続される感圧ユニット２７１と、感圧ユニット２７１に結合され、感圧ユニット２７１によって測定された圧力が所定値より下である場合に感圧ユニット２７１によって作動されるアラーム２７２を含む。
【００１３】
この実施例では、感圧ユニット２７１は、膜２７１１と、第１の伝導部材２７１２と、アラーム２７２に結合される一対の第２の伝導部材２７１３と、膜２７１１と第１の伝導部材２７１２を接続する接続部材２７１４を含む（図２及び３を参照）。図２に示すように、放熱システム２が正常状態にあるとき、第１の伝導部材２７１２及び第２の伝導部材２７１３は接続せず、従って、アラーム２７２は、作動されない。図３に示すように、冷却剤循環管２３内の圧力が、放熱システム２内の冷却剤２２の漏れによって所定値より下にあるとき、膜２７１１は、接続部材２７１４及び第１の伝導部材２７１２と共に、第１の伝導部材２７１２が第２の伝導部材２７１３に電気接続し、それにより、アラーム２７２を作動させるよう冷却剤循環管２３に向かって動く。
【００１４】
この実施例では、駆動機構２５は、ポンプを含む。冷却剤２２は水であることが好適である。
【００１５】
この実施例では、ヒートシンク２４は、容器２４０と、容器２４０内に配置された複数のフィン２４１を含む。フィン２４１は、互いから間隔が置かれ、容器２４０内の冷却剤２２と接触する。フィン２４１は、電子装置１００から冷却剤２２への熱交換の為のより大きい表面積を与え、それにより放熱効率を高める。
【００１６】
この実施例では、冷却機構２６は、複数のフィン２６１及びファン２６２を含む。冷却機構２６のフィン２６１は、互いから間隔が置かれ、熱が、冷却剤循環管２３を通る冷却剤２２から冷却機構２６のフィン２６１に移動されるよう冷却剤循環管２３に接触する。冷却機構２６のファン２６２は、冷却機構２６のフィン２６１を冷却するよう使用される。
【００１７】
動作時には、電子装置１００によって発生される熱は、ヒートシンク２４のフィン２４１に伝えられる。冷却剤２２がヒートシンク２４内を通り、ヒートシンク２４からの熱を運ぶようヒートシンク２４のフィン２４１から熱を吸収する。加熱された冷却剤２２は、冷却機構２６を通過する際に冷却される。冷却された冷却剤２２は、ポンプ２５の駆動動作によってヒートシンク２４に再び循環され、それにより、熱交換循環が続けられる。上述したように、冷却剤２２が放熱システム２内で漏れると、アラーム２７２が、膜２７１１の動作によって作動され、このことは、放熱システム２の動作を停止し、修理を行わなければならないことを示す。
【００１８】
放熱システム２は更に、冷却剤２２を受容する貯蔵部２１を含むことが好適である。貯蔵部２１は、低い比熱を有する材料から形成され、また、冷却剤循環管２３に接続される。駆動機構２５が、貯蔵部２１の下流に配置され、冷却剤２２を貯蔵部２１から冷却剤循環管２３内に引き込む。感圧機構２７は、貯蔵部２１と冷却機構２６との間の冷却剤循環管２３内の冷却剤２２の圧力を測定するよう貯蔵部２１の上流且つ冷却機構２６の下流の位置に配置される。
【００１９】
この実施例では、電子装置１００は、ヒートシンクに直接的に接続される。しかし、本考案は、開示された実施例に限定されるべきではない。例えば、電子装置１００は、貯蔵部２１に直接的に接続されることが可能である。
【００２０】
本考案の放熱システム２内に感圧機構２７を含むことによって、冷却剤２２の漏れが容易に検出可能である。従って、本考案の目的は達成される。
【００２１】
本考案は、最も実用的で且つ最も好適であると考えられる実施例に関連して説明したが、本考案は、開示した実施例に限定されず、最大の解釈の範囲及び精神、及び等価の構成に含まれる様々な構成を包含することを意図する。
【００２２】
［関連出願への相互参照］
本考案は、２００５年９月２１日に出願した台湾出願番号０９４２１６２３５号の優先権を主張する。
【図面の簡単な説明】
【００２３】
【図１】従来の放熱装置を示す図である。
【図２】正常状態における本考案の放熱システムの好適な実施例を示す図である。
【図３】放熱システム内の圧力が所定値より下である状態にある本考案の放熱システムの好適な実施例を示す図である。
【図１】
0003122898.tif 000003
【図２】
0003122898.tif 000004
【図３】
0003122898.tif 000005